(57)【要約】【課題】  お年寄り等が座ったままで日常生活の様々なことを行えるようにして、負担の軽減及び必要なタイミングを逃してしまう不具合の解消を図るとともに、日常生活の快適性及び利便性を高める。【解決手段】  ブックスタンド部２の下方に配して当該ブックスタンド部２を移動自在に支持する複数のキャスタ３…と、ブックスタンド部２の台板２ｓの下面に付設することにより小物類Ｇ…を収納可能な引出しにより構成した一又は二以上の第一補助収納部４ａ，４ｂと、ブックスタンド部２に付設することにより用紙類Ｐ…を収納可能な用紙入れとして構成した第二補助収納部５と、ブックスタンド部２に付設することにより手で把持可能に構成したハンドル部６を備える。【選択図】  図１
2019013365.tif 000002
【特許請求の範囲】
【請求項１】
一又は二以上の書籍類を収納可能なブックスタンド部を備える多機能ブックスタンドであって、前記ブックスタンド部の下方に配して当該ブックスタンド部を移動自在に支持する複数のキャスタ部と、前記ブックスタンド部の台板部の下面に付設することにより小物類を収納可能な引出しにより構成した一又は二以上の第一補助収納部と、前記ブックスタンド部に付設することにより用紙類を収納可能な用紙入れとして構成した第二補助収納部と、前記ブックスタンド部に付設することにより手で把持可能に構成したハンドル部とを具備してなることを特徴とする多機能ブックスタンド。
【請求項２】
前記ハンドル部は、前記ブックスタンド部の前方，後方，右方及び左方に配してなることを特徴とする請求項１記載の多機能ブックスタンド。
【請求項３】
前記ハンドル部は、ハンドル本体部の少なくとも一部を、前記ブックスタンド部の前方における書籍類の出入空間に位置させることにより、前記ブックスタンド部に収納された書籍類の変位を規制するセット位置又は前記出入空間を開放するリリース位置に、選択的に変位可能な可動支持機構部を備えることを特徴とする請求項１又は２記載の多機能ブックスタンド。
【請求項４】
前記ブックスタンド部に付設することにより少なくともテレビリモコン及び／又は電話機類を収納可能に構成した第三補助収納部を備えることを特徴とする請求項１記載の多機能ブックスタンド。
【請求項５】
前記ブックスタンド部に付設することにより少なくとも枕を収納可能に構成した収納ケース部を有する第四補助収納部を備えることを特徴とする請求項１記載の多機能ブックスタンド。
【請求項６】
前記第四補助収納部は、前記収納ケース部の上方に、肘掛けとして機能させる肘掛部を備えることを特徴とする請求項５記載の多機能ブックスタンド。
【発明の詳細な説明】
【技術分野】
【０００１】
本発明は、一又は二以上の書籍類を収納可能なブックスタンド部を備える多機能ブックスタンドに関する。
【背景技術】
【０００２】
一般に、書籍類を起立した状態で収納できるブックスタンドは広く知られている（例えば、特許文献１及び２参照）。この種のブックスタンドは、基本構成として、起立した書籍類を載置する台板と、この台板の左右両側に起立した一対の袖板と、各袖板の後辺間に跨がる背板を備え、机やテーブル等の上に載置して使用することができる。また、このような基本構成によるブックスタンドは、書籍類を整理保管する機能に止まるため、他の機能を付加した多機能ブックスタンドも提案されている。
【０００３】
従来、このような多機能ブックスタンドとしては、特許文献３で開示されるミニ書斎ボックスが知られている。このミニ書斎ボックスは、書籍やノート、筆記用具やその他の文房具などを、まとめて収納でき、かつ持ち運びができるようにしたものであり、具体的な構成としては、ブックスタンドの下部または両サイドに筆記用具やその他の文房具などを収納できる引出しを設けるとともに、ブックスタンドの両サイドに、筆記用具やその他の文房具を収納できる上方が開放されたボックスを設けたものである。
【先行技術文献】
【特許文献】
【０００４】
【特許文献１】特開平８−２９９０６６号公報
【特許文献２】登録実用新案第３０２３４３７号公報
【特許文献３】特開２０１３−１４６５１９号公報
【発明の概要】
【発明が解決しようとする課題】
【０００５】
しかし、上述したミニ書斎ボックスをはじめ、従来の多機能ブックスタンドは、次のような解決すべき課題も存在した。
【０００６】
即ち、従来の多機能ブックスタンドは、ブックスタンドの基本形態に対して他の物を収納できる引出しやボックスを付加したものであるが、多機能性及び多様性、更には利便性及び使い勝手を高める観点からは必ずしも十分とはいえず、更なる改善の余地も残されていた。
【０００７】
特に、近時、一人暮らしのお年寄り世帯も増え、足腰の衰えなどから立ったり座ったりすることが容易にできないことも多い。したがって、例えば、茶の間でテレビを見ていた際に、番組内で使用された言葉の意味が分からず、辞典や書籍を見て確認したい場合、或いは料理番組を見ていた際に料理のレシピ等をメモしたい場合などにおいては、座った状態から必要なものを持ちにいく必要があるが、お年寄りにとっては、大変な負担を強いられるとともに、必要なタイミングを逃してしまう事態も生じる。結局、従来の多機能ブクスタンドでは、このような事態に対して適切に対応できないのが実情である。
【０００８】
加えて、座っていた際に、電話がかかってきた場合、或いは、疲れたため、体を楽にしたり横になって休みたい場合などにおいても、枕等の必要なものを持ちに行く必要があり、お年寄りの日常生活に対する支援の観点、更には利便性などをより向上させる観点からは、更なる改善の余地があった。
【０００９】
本発明は、このような背景技術に存在する課題を解決した多機能ブックスタンドの提供を目的とするものである。
【課題を解決するための手段】
【００１０】
本発明は、上述した課題を解決するため、一又は二以上の書籍類Ｂ…を収納可能なブックスタンド部２を備える多機能ブックスタンド１を構成するに際して、ブックスタンド部２の下方に配して当該ブックスタンド部２を移動自在に支持する複数のキャスタ３…と、ブックスタンド部２の台板２ｓの下面に付設することにより小物類Ｇ…を収納可能な引出しにより構成した一又は二以上の第一補助収納部４ａ，４ｂと、ブックスタンド部２に付設することにより用紙類Ｐ…を収納可能な用紙入れとして構成した第二補助収納部５と、ブックスタンド部２に付設することにより手で把持可能に構成したハンドル部６とを具備してなることを特徴とする。
【００１１】
この場合、発明の好適な態様により、ハンドル部６は、ブックスタンド部２の前方Ｆｆ，後方Ｆｒ，右方Ｆｐ及び左方Ｆｑに配することができるとともに、このハンドル部６には、ハンドル本体部６ｍの少なくとも一部６ｆを、ブックスタンド部２の前方Ｆｆにおける書籍類Ｂ…の出入空間Ｓに位置させることにより、ブックスタンド部２に収納された書籍類Ｂ…の変位を規制するセット位置Ｘｓ又は出入空間Ｓを開放するリリース位置Ｘｒに、選択的に変位可能な可動支持機構部１１を設けることができる。さらに、多機能ブックスタンド１には、ブックスタンド部２に付設することにより少なくともテレビリモコンＲａ及び／又は電話機類Ｒｂを収納可能に構成した第三補助収納部１２を設けることができるとともに、ブックスタンド部２に付設することにより少なくとも枕Ｍを収納可能に構成した収納ケース１３ｂを有する第四補助収納部１３を設けることができる。この場合、第四補助収納部１３は、収納ケース１３ｂの上方に、肘掛けとして機能させる肘掛部１４を設けることができる。
【発明の効果】
【００１２】
このような構成を有する本発明に係る多機能ブックスタンド１によれば、次のような顕著な効果を奏する。
【００１３】
（１）  基本形態のブックスタンドをベースにして全体の機能性及び多様性を高めたため、例えば、お年寄りが茶の間で座ってテレビを見ていた際に、番組内で使用された言葉の意味が分からず、辞典や書籍を見て確認したい場合、或いは料理番組を見ていた際に料理のレシピ等をメモしたい場合など、立ち上がる必要が生じた場合であっても、座ったままの状態で様々なことを迅速に行うことができる。特に、ブックスタンド部２に対して、キャスタ３…及びハンドル部６を付設したため、手が届く位置にあれば、多機能ブックスタンド１を容易に移動できるとともに、その向きを変えることができる。この結果、足腰の衰えなどから立ち上がったり座ったりすることが容易でない一人暮らしのお年寄りの負担を大きく軽減できるとともに、必要なタイミングを逃してしまう不具合を解消できるなど、日常生活の利便性及び快適性を飛躍的に高めることができる。
【００１４】
（２）  好適な態様により、ハンドル部６を、ブックスタンド部２の前方Ｆｆ，後方Ｆｒ，右方Ｆｐ及び左方Ｆｑに配するようにすれば、多機能ブックスタンド１が様々な向き及び位置にあっても、ハンドル部６を確実に操作できるため、多機能ブックスタンド１を、希望する向き及び位置へ容易に変えることができるなど、更なる利便性，快適性及び使い勝手の向上に寄与できる。
【００１５】
（３）  好適な態様により、ハンドル部６に、ハンドル本体部６ｍの少なくとも一部６ｆを、ブックスタンド部２の前方Ｆｆにおける書籍類Ｂ…の出入空間Ｓに位置させることにより、ブックスタンド部２に収納された書籍類Ｂ…の変位を規制するセット位置Ｘｓ又は出入空間Ｓを開放するリリース位置Ｘｒに、選択的に変位可能な可動支持機構部１１を設ければ、ハンドル本体部６ｍの少なくとも一部６ｆの位置を変更できるため、セット位置Ｘｓに変位させることにより、ブックスタンド部２からの書籍類Ｂ…の抜け落ちを防止できるとともに、リリース位置Ｘｒに変位させることにより、ブックスタンド部２に対する書籍類Ｂ…の出し入れを容易に行うことができる。
【００１６】
（４）  好適な態様により、ブックスタンド部２に、少なくともテレビリモコンＲａ及び／又は電話機類Ｒｂを収納可能に構成した第三補助収納部１２を付設すれば、第三補助収納部１２を、いわばリモコンラックとして利用できるため、座ったままの状態でテレビリモコンＲａの各種操作を行うことができるとともに、電話機類Ｒｂを使用することができる。
【００１７】
（５）  好適な態様により、ブックスタンド部２に、少なくとも枕Ｍを収納可能に構成した収納ケース１３ｂを有する第四補助収納部１３を付設すれば、座ったままの状態で枕Ｍを取出したり収納することができるため、例えば、疲れて横になりたい場合であっても、座ったままの状態から枕Ｍを利用して休むことができる。
【００１８】
（６）  好適な態様により、第四補助収納部１３を構成するに際し、収納ケース１３ｂの上方に、肘掛けとして機能をさせる肘掛部１４を設ければ、当該肘掛部１４をそのまま肘掛けとして使用できるため、例えば、楽な姿勢になりたい場合であっても、座ったままの状態で速やかに肘掛部１４を利用することができる。
【図面の簡単な説明】
【００１９】
【図１】本発明の好適実施形態に係る多機能ブックスタンドの断面側面図、
【図２】同多機能ブックスタンドの外観平面図、
【図３】同多機能ブックスタンドの外観正面図、
【図４】同多機能ブックスタンドの外観側面図、
【図５】同多機能ブックスタンドに備えるブックスタンド部の使用説明図、
【図６】同多機能ブックスタンドに備える第一補助収納部及び第二補助収納部の使用説明図、
【図７】同多機能ブックスタンドに備える第三補助収納部の使用説明図、
【図８】同多機能ブックスタンドに備える第四補助収納部の使用説明図、
【発明を実施するための形態】
【００２０】
次に、本発明に係る好適実施形態を挙げ、図面に基づき詳細に説明する。
【００２１】
まず、本実施形態に係る多機能ブックスタンド１の構成について、図１〜図８を参照して具体的に説明する。
【００２２】
多機能ブックスタンド１は、図１及び図２に示すように、大別して、ブックスタンド部２，四つ（一般的には複数）のキャスタ３…，二つの第一補助収納部４ａ…，第二補助収納部５，第三補助収納部１２，第四補助収納部１３及びハンドル部６により構成する。特に、本実施形態に係る多機能ブックスタンド１は、一定の厚さを有する、例えば、木製平板を組合わせることにより容易に製作することができる。
【００２３】
ブックスタンド部２は、平面視を、矩形状に形成した台板２ｓと、この台板２ｓの左右両側に起立した一対の袖板２２ｐ，２２ｑと、この一対の袖板２２ｐと２２ｑ間であって、台板２ｓの上面における前後方向中間位置の後方寄りに配し、かつ台板２ｓの上面から上方に起立した背板２２ｒと、一対の袖板２２ｐと２２ｑ間に配した中間板２２ｍを備える。これにより、ブックスタンド部２には、一又は二以上の書籍類Ｂ…（図５参照）を起立させた状態で収納可能になる。
【００２４】
二つの第一補助収納部４ａ，４ｂは、図１及び図３に示すように、ブックスタンド部２の台板２ｓの下方に付設する。具体的には、図３に示すように、左側に配した一方の袖板２２ｑの下端を、ブックスタンド部２における台板２ｓから下方へ所定長さだけ延出形成するとともに、台板２ｓの右端を他方の袖板２２ｐから右方へ所定長さだけ延出形成する。また、この袖板２２ｑの右端には、後述する第三補助収納部１２を構成する側板２５における上下方向中間位置を取付け、当該側板２５の下端は、上述した袖板２２ｑの下端の高さ位置に一致させる。さらに、図１に示すように、背板２２ｒの下端は、台板２ｓから下方へ所定長さだけ延出形成する。これにより、台板２ｓの下方には、下面部及び前面部が開放された空間が形成されるため、当該下面部を矩形状の基板２６により覆う。即ち、矩形状の基板２６を、袖板２２ｑの下端辺，側板２５の下端辺及び背板２２ｒの下端辺に固定する。なお、この場合、基板２６の後端は、背板２２ｒから後方へ所定長さだけ延出形成し、後述する第四補助収納部１３を支持する支持板部３１として用いる。
【００２５】
また、図３に示すように、台板２ｓの下面と基板２６の上面間であって左右方向の中間位置には仕切板２７を固定する。この中間位置は、中央位置でもよいし、左方又は右方に片寄った位置でもよい。例示は、稍左方に片寄らせている。そして、仕切板２７の左方に位置する空間に、トレイ状の引出部２８ａを前側から挿入するとともに、仕切板２７の右方に位置する空間に、トレイ状の引出部２８ｂを前側から挿入する。これにより、引出部２８ａを前側へ出し入れ可能になる一方の第一補助収納部４ａが構成されるとともに、引出部２８ｂを前側へ出し入れ可能になる他方の第一補助収納部４ｂが構成される。なお、２９ａ，２９ｂは、引出部２８ａ，２８ｂの前板部に設けた取手部を示す。
【００２６】
第二補助収納部５は、図１及び図２に示すように、ブックスタンド部２の背板２２ｒの後方に付設する。具体的には、図１に示すように、台板２ｓの後端に、矩形状に形成した後板３２の上下方向の中間位置を固定する。また、袖板２２ｐの後端，袖板２２ｑの後端及び側板２５の後端を、後板３２の前面に固定する。これにより、台板２ｓの上面上には、背板２２ｒ，後板３２，袖板２２ｐ及び袖板２２ｑにより囲まれ、かつ上方に開口した状差し状の第二補助収納部５が構成される。
【００２７】
第三補助収納部１２は、図１及び図２に示すように、ブックスタンド部２における右側の袖板２２ｑの側方に付設する。具体的には、図２に示すように、袖板２２ｑと側板２５間に、複数の仕切メンバｐ…を架設することにより、上方に開口した前収容部３５を前側に設けるとともに、上方に開口した後収容部３６を後側に設ける。なお、後収容部３６の高さ位置は、前収容部３５の高さ位置よりも高く設定することが望ましい。
【００２８】
第四補助収納部１３は、図１及び図２に示すように、第一補助収納部４ａ…，第二補助収納部５及び第三補助収納部１２の後方に付設する。したがって、第一補助収納部４ａ…，第二補助収納部５及び第三補助収納部１２は、多機能ブックスタンド１の前半部分を構成するとともに、第四補助収納部１３は、多機能ブックスタンド１の後半部分を構成する。この第四補助収納部１３を設けるに際しては、前述したように、基板２６の後端を、後板３２の後方へ所定長さだけ延出することにより支持板部３１とし、この支持板部３１の上面に、上方に開口した収納ケース１３ｂを固定する。この収納ケース１３ｂは、枕Ｍ（図１参照）を収納可能な寸法及び容積を選定する。例示は、ゴロ寝枕を収容できる寸法及び容積に設定した。
【００２９】
また、収納ケース１３ｂの上面開口には、ヒンジ部１３ｈを介してケースカバー１３ｃを付設する。これにより、収納ケース１３ｂの開口はケースカバー１３ｃにより開閉可能となる。そして、ケースカバー１３ｃの上面には、ゴム素材，柔軟性樹脂素材或いは綿等の繊維素材などにより形成したパッド体１３ｐを固定する。したがって、収納ケース１３ｂの上方には、肘掛けとして機能する肘掛部１４が設けられる。
【００３０】
四つのキャスタ３…は、ブックスタンド部２の下方、即ち、基板２６の下面における四隅近傍にそれぞれ取付ける。これにより、ブックスタンド部２は、キャスタ３…により移動自在となる。また、キャスタ３…の少なくとも一つ、望ましくは二つには、図１に示すストッパ部３８…を付設する。このストッパ部３８…は、外部に突出した操作レバー３８ｈ…を備え、この操作レバー３８ｈ…を押し下げ操作することにより、内蔵したストッパ爪３８ｓ…がキャスタ３…に係止してキャスタ３…の回動を阻止（ロック）するとともに、操作レバー３８ｈ…を押し上げ操作することにより、ストッパ爪３８ｓ…をリリースしてキャスタ３…に対する回動阻止（ロック）を解除することができる。
【００３１】
ハンドル部６は、ブックスタンド部２における左右の袖板２２ｐ，２２ｑの所定位置に設けた一対のハンドル支持部１１ｐ，１１ｑと、このハンドル支持部１１ｐ，１１ｑにより支持されるハンドル本体部６ｍを備える。したがって、一対のハンドル支持部１１ｐ，１１ｑは、可動支持機構部１１を構成する。また、ハンドル本体部６ｍは、後側に位置するコの字形に折曲形成した後ハンドル６ｍｒと前側に位置するコの字形に折曲形成した前ハンドル６ｍｆを備える。前ハンドル６ｍｆと後ハンドル６ｍｒは、それぞれ金属パイプ又は樹脂素材等を用いることにより利用者が手で把持可能に形成する。そして、後ハンドル６ｍｒの前端に位置する両端部は、ハンドル支持部４１ｐ，４１ｑに対して水平状態に固定するとともに、前ハンドル６ｍｆの後端に位置する両端部は、ハンドル支持部４１ｐ，４１ｑにより回動可能に支持されるように取付ける。これにより、図２に示すように、ハンドル部６は、ブックスタンド部２の前方Ｆｆ，後方Ｆｒ，右方Ｆｐ及び左方Ｆｑに配されることになる。
【００３２】
この場合、ハンドル本体部６ｍの一部６ｆとなる前ハンドル６ｍｆは、可動支持機構部１１により、図１に水平状態となるセット位置Ｘｓ，又は、図５に示すように、上方へ回動変位させたリリース位置Ｘｒへ、選択的に変位させることができる。なお、セット位置Ｘｓ及びリリース位置Ｘｒでは、それぞれクリック方式等により停止可能に構成することが望ましい。これにより、前ハンドル６ｍｆをセット位置Ｘｓへ変位させれば、ブックスタンド部２の前方Ｆｆにおける書籍類Ｂ…の出入空間Ｓに位置させることができるとともに、リリース位置Ｘｒへ変位させれば、出入空間Ｓを開放することができる。
【００３３】
次に、本実施形態に係る多機能ブックスタンド１における各部の機能について、図５〜図８を参照して説明する。
【００３４】
まず、ブックスタンド部２は、図５に示すように、辞典Ｂｓ…等を含む一又は二以上の書籍類Ｂ…を、台板２ｓの上面に、起立させた状態で載置することができる。したがって、ブックスタンド部２は、一般的なブックスタンド（本立）と同様に、書籍類Ｂ…を整理保管することができる。この場合、前ハンドル６ｍｆは、セット位置Ｘｓ又はリリース位置Ｘｒに変位させることができるため、ブックスタンド部２に対して、書籍類Ｂ…を出し入れする際には、前ハンドル６ｍｆを手で上方へ回動変位させ、リリース位置Ｘｒに切換えるとともに、書籍類Ｂ…を、ブックスタンド部２に収納した後は、前ハンドル６ｍｆを下方へ回動変位させ、セット位置Ｘｓに切換えればよい。これにより、前ハンドル６ｍｆがリリース位置Ｘｒにあれば、ブックスタンド部２の前方における出入空間Ｓが開放されるため、ブックスタンド部２に対する書籍類Ｂ…の出し入れを容易に行うことができるとともに、前ハンドル６ｍｆがセット位置Ｘｓにあれば、書籍類Ｂ…の出入空間Ｓに位置し、ブックスタンド部２に収納された書籍類Ｂ…の変位を規制するため、ブックスタンド部２からの書籍類Ｂ…の抜け落ちを防止できる。
【００３５】
また、ハンドル部６（ハンドル本体部６ｍ）は、ブックスタンド部２の前方Ｆｆ，後方Ｆｒ，右方Ｆｐ及び左方Ｆｑに配されるため、多機能ブックスタンド１が様々な向き及び位置にあっても、手が届く位置にあれば、ハンドル部６を利用して、容易かつ確実に移動できるとともに、その向きを変えることができるなど、更なる利便性，快適性及び使い勝手の向上に寄与できる利点がある。特に、四つのキャスタ３…を設けたため、例えば、ブックスタンド部２に、大辞林等の比較的重い辞典類を収納した場合であっても、多機能ブックスタンド１を比較的軽い力で容易に移動させることができる。
【００３６】
一方、第一補助収納部４ａ，４ｂは、引出部２８ａ，２８ｂ備えるため、一方の引出部２８ａは、一般的な引出しと同様に、引出部２８ａの前板部に設けた取手部２９ａを手で持ち、図６に示すように、前方へ引出すことにより、引出部２８ａ内に、例えば、メガネＧａ，筆記具Ｇｂ…などの小物類Ｇ…をはじめ、常備薬や絆創膏等の医薬品を収容できる。他方、引出した引出部２８ａは、元の位置に押込み、格納することができる。なお、一方の引出部２８ａ（第一補助収納部４ａ）の機能について説明したが、他方の引出部２８ｂ（第一補助収納部４ｂ）も同様に機能させることができる。
【００３７】
さらに、第二補助収納部５は、図６に示すように、ブックスタンド部２の背面に、上方に開口した状差し状に構成されるため、ノートＰｎ等の用紙類Ｐ…を収納する用紙入れとして機能させることができる。
【００３８】
他方、第三補助収納部１２は、図７に示すように、上方に開口した前収容部３５と後収容部３６を備えるため、例示のように、前収容部３５には、上方からテレビリモコンＲａを収容して背面側に立て掛けることができるとともに、後収容部３６には、上方から電話機類Ｒｂ、具体的には、電話機の子機Ｒｂを収容して背面側に立て掛けることができる。このように、ブックスタンド部２に、テレビリモコンＲａ及び／又は電話機類Ｒｂを収納可能に構成した第三補助収納部１２を付設するようにすれば、第三補助収納部１２を、いわばリモコンラックとして利用できるため、座ったままの状態でテレビリモコンＲａの各種操作を行うことができるとともに、電話機類Ｒｂを使用できる利点がある。
【００３９】
また、第四補助収納部１３は、少なくとも枕Ｍを収納可能に構成した収納ケース１３ｂを備えるため、図８に示すように、ケースカバー１３ｃをヒンジ部１３ｈを支点に上方へ回動変位させ、収納ケース１３ｂの開口を開放すれば、収納ケース１３ｂ内へ枕Ｍを収容し、又は収納ケース１３ｂから枕Ｍを取り出すことができる。したがって、座ったままの状態で枕Ｍを取出したり収納できるため、例えば、疲れて横になりたい場合であっても、座ったままの状態から枕Ｍを利用して休むことができる。例示の枕Ｍは、ゴロ寝枕のため、そのままゴロ寝することができる。
【００４０】
さらに、ケースカバー１３ｃを下方へ回動変位させ、収納ケース１３ｂの開口を閉じれば、図４に示すように、ケースカバー１３ｃを水平にできるとともに、このケースカバー１３ｃの上面は、パッド体１３ｐを固定することにより肘掛部１４として構成したため、当該肘掛部１４をそのまま肘掛けとして機能させることができる。したがって、例えば、楽な姿勢になりたい場合であっても、座ったままの状態で速やかに肘掛部１４を使用することができる。
【００４１】
次に、本実施形態に係る多機能ブックスタンド１の使用方法について、図１〜図８を参照して説明する。
【００４２】
今、一例として、お年寄りが茶の間の座椅子に座り又はコタツに入るなどにより座った状態にあり、この状態でテレビを視聴している場合を想定する。この場合、お年寄りの近くに、本実施形態に係る多機能ブックスタンド１を置いて使用することができる。
【００４３】
例えば、テレビを見たい場合には、第三補助収納部１２に収納したテレビリモコンＲａを取り出し、電源スイッチのＯＮ／ＯＦＦ，テレビチャンネルの切換等の必要な操作を行うことができる。
【００４４】
一方、テレビの視聴中に、何か判らない言葉が出てきた場合、ブックスタンド部２に収納した辞典Ｂｓ等を取り出し、迅速に調べることができるとともに、必要により、第一補助収納部４ａ…からメガネＧａ（小物類Ｇ）を取り出して使用することができる。また、レシピ等の覚えておきたい内容が出てきた場合には、第二補助収納部５に収納したノートＰｎを取り出すとともに、第一補助収納部４ａ…から筆記具Ｇｂ（小物類Ｇ）を取り出し、必要なメモを取ることができる。
【００４５】
さらに、テレビの視聴中に、電話がかかってきた場合には、第三補助収納部１２に収納した電話機の子機Ｒｂを速やかに取り出すことができる。特に、特殊詐欺等に関係する電話等であっても、慌てることなく、落ち着いて、かつ慎重に応対することができる。
【００４６】
他方、疲れたため、楽な姿勢になりたい場合には、第四補助収納部１３に付設した肘掛部１４を利用、即ち、閉じた位置のケースカバー１３ｃの上面にあるパッド体１３ｐに肘を置き、楽な姿勢を取ることができる。この場合、通常は、ブックスタンド部２が前側に位置しているため、肘掛部１４を利用する場合には、ハンドル部６を用いて多機能ブックスタンド１を回すとともに、適切な使用ポジションまで引き寄せて利用することができる。この際、多機能ブックスタンド１は、四つのキャスタ３…により支持されるため、容易に回したり移動させることができる。また、適切な使用ポジションに位置させた後は、図４に示すように、ストッパ部３８…における操作レバー３８ｈ…を下方へ操作する。これにより、内蔵したストッパ爪３８ｓ…がキャスタ３…に係止してキャスタ３…の回動を阻止（ロック）することにより、使用ポジションに停止させることができ、安定に使用することができる。
【００４７】
さらに、疲れにより、横になって休みたい場合には、座ったままの状態で、図８に示すように、ケースカバー１３ｃを上方へ回動変位させることにより、収納ケース１３ｂの開口を開放することができるため、収納ケース１３ｂから、内部に収納した枕（ゴロ寝枕）Ｍを取り出し、そのままゴロ寝することができる。
【００４８】
このように、本実施形態に係る多機能ブックスタンド１によれば、基本構成として、ブックスタンド部２の下方に配して当該ブックスタンド部２を移動自在に支持する複数のキャスタ３…と、ブックスタンド部２の台板２ｓの下面に付設することにより小物類Ｇ…を収納可能な引出しにより構成した一又は二以上の第一補助収納部４ａ，４ｂと、ブックスタンド部２に付設することにより用紙類Ｐ…を収納可能な用紙入れとして構成した第二補助収納部５と、ブックスタンド部２に付設することにより手で把持可能に構成したハンドル部６とを備えてなるため、基本形態のブックスタンドをベースにして各種機能を付加して全体の機能性及び多様性を高めることができる。
【００４９】
例えば、お年寄りが茶の間で座ってテレビを見ていた際に、番組内で使用された言葉の意味が分からず、辞典や書籍を見て確認したい場合、或いは料理番組を見ていた際に料理のレシピ等をメモしたい場合など、立ち上がる必要が生じた場合であっても、座ったままの状態で様々なことを迅速に行うことができる。特に、ブックスタンド部２に対して、キャスタ３…及びハンドル部６を付設したため、手が届く位置にあれば、多機能ブックスタンド１を容易に移動できるとともに、その向きを変えることができる。この結果、足腰の衰えなどから立ち上がったり座ったりすることが容易でない一人暮らしのお年寄りの負担を大きく軽減できるとともに、必要なタイミングを逃してしまう不具合を解消できるなど、日常生活の利便性及び快適性を飛躍的に高めることができる。
【００５０】
以上、好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００５１】
例えば、書籍類Ｂ…，小物類Ｇ…，用紙類Ｐ…，Ｒａ：テレビリモコン，Ｒｂ：電話機類，Ｍ：枕などは、これらを最低限収納できることを意味するものであり、限定的に例示したものではない。また、二つの第一補助収納部４ａ，４ｂを例示したが、その他、一つの第一補助収納部４ａのみであってもよいし、三つ以上の第一補助収納部４ａ，４ｂ…であってもよい。実施形態のハンドル部６は、一例であり、その形態や数量、更には取付位置などは任意に選定可能である。さらに、可動支持機構部１１は一例であり、固定された構成を排除するものではない。一方、使用素材は、木製平板が望ましいが、素材は限定されるものではなく、プラスチック等の各種素材を用いることができる。
【産業上の利用可能性】
【００５２】
本発明は、書籍類を収納可能なブックスタンド部を基本形態として、お年寄り等が座った状態で様々なことができる多機能ブックスタンドとして利用できる。
【符号の説明】
【００５３】
１：多機能ブックスタンド，２：ブックスタンド部，２ｓ：ブックスタンド部の台板，３…：キャスタ，４ａ：第一補助収納部，４ｂ：第一補助収納部，５：第二補助収納部，６：ハンドル部，６ｍ：ハンドル本体部，６ｆ：ハンドル本体部の一部，１１：可動支持機構部，１２：第三補助収納部，１３：第四補助収納部，１３ｂ：収納ケース，１４：肘掛部，Ｂ…：書籍類，Ｇ…：小物類，Ｐ…：用紙類，Ｆｆ：ブックスタンド部の前方，Ｆｒ：ブックスタンド部の後方，Ｆｐ：ブックスタンド部の右方，Ｆｑ：ブックスタンド部の左方，Ｓ：出入空間，Ｘｓ：セット位置，Ｘｒ：リリース位置，Ｒａ：テレビリモコン，Ｒｂ：電話機類，Ｍ：枕
【図１】
2019013365.tif 000003
【図２】
2019013365.tif 000004
【図３】
2019013365.tif 000005
【図４】
2019013365.tif 000006
【図５】
2019013365.tif 000007
【図６】
2019013365.tif 000008
【図７】
2019013365.tif 000009
【図８】
2019013365.tif 000010
【手続補正書】
【提出日】平成30年6月13日(2018.6.13)
【手続補正１】
【補正対象書類名】特許請求の範囲
【補正対象項目名】全文
【補正方法】変更
【補正の内容】
【特許請求の範囲】
【請求項１】
一又は二以上の書籍類を収納可能なブックスタンド部を備える多機能ブックスタンドであって、前記ブックスタンド部の下方に配して当該ブックスタンド部を移動自在に支持する複数のキャスタ部と、前記ブックスタンド部の台板部の下面に付設することにより小物類を収納可能な引出しにより構成した一又は二以上の第一補助収納部と、前記ブックスタンド部に付設することにより用紙類を収納可能な用紙入れとして構成した第二補助収納部と、前記ブックスタンド部に付設することにより手で把持可能に構成するとともに、ハンドル本体部の少なくとも一部を、前記ブックスタンド部の前方における書籍類の出入空間に位置させることにより、前記ブックスタンド部に収納された書籍類の変位を規制するセット位置又は前記出入空間を開放するリリース位置に、選択的に変位可能な可動支持機構部を備えるハンドル本体部とを具備してなることを特徴とする多機能ブックスタンド。
【請求項２】
前記ハンドル部は、前記ブックスタンド部の前方，後方，右方及び左方に配してなることを特徴とする請求項１記載の多機能ブックスタンド。
【請求項３】
前記ブックスタンド部に付設することにより少なくともテレビリモコン及び／又は電話機類を収納可能に構成した第三補助収納部を備えることを特徴とする請求項１記載の多機能ブックスタンド。
【請求項４】
前記ブックスタンド部に付設することにより少なくとも枕を収納可能に構成した収納ケース部を有する第四補助収納部を備えることを特徴とする請求項１記載の多機能ブックスタンド。
【請求項５】
前記第四補助収納部は、前記収納ケース部の上方に、肘掛けとして機能させる肘掛部を備えることを特徴とする請求項４記載の多機能ブックスタンド。
【手続補正２】
【補正対象書類名】明細書
【補正対象項目名】００１０
【補正方法】変更
【補正の内容】
【００１０】
本発明は、上述した課題を解決するため、一又は二以上の書籍類Ｂ…を収納可能なブックスタンド部２を備える多機能ブックスタンド１を構成するに際して、ブックスタンド部２の下方に配して当該ブックスタンド部２を移動自在に支持する複数のキャスタ３…と、ブックスタンド部２の台板２ｓの下面に付設することにより小物類Ｇ…を収納可能な引出しにより構成した一又は二以上の第一補助収納部４ａ，４ｂと、ブックスタンド部２に付設することにより用紙類Ｐ…を収納可能な用紙入れとして構成した第二補助収納部５と、ブックスタンド部２に付設することにより手で把持可能に構成するとともに、ハンドル本体部６ｍの少なくとも一部６ｆを、ブックスタンド部２の前方Ｆｆにおける書籍類Ｂ…の出入空間Ｓに位置させることにより、ブックスタンド部２に収納された書籍類Ｂ…の変位を規制するセット位置Ｘｓ又は出入空間Ｓを開放するリリース位置Ｘｒに、選択的に変位可能な可動支持機構部１１を備えるハンドル部６とを具備してなることを特徴とする。
【手続補正３】
【補正対象書類名】明細書
【補正対象項目名】００１１
【補正方法】変更
【補正の内容】
【００１１】
この場合、発明の好適な態様により、ハンドル部６は、ブックスタンド部２の前方Ｆｆ，後方Ｆｒ，右方Ｆｐ及び左方Ｆｑに配することができる。さらに、多機能ブックスタンド１には、ブックスタンド部２に付設することにより少なくともテレビリモコンＲａ及び／又は電話機類Ｒｂを収納可能に構成した第三補助収納部１２を設けることができるとともに、ブックスタンド部２に付設することにより少なくとも枕Ｍを収納可能に構成した収納ケース１３ｂを有する第四補助収納部１３を設けることができる。この場合、第四補助収納部１３は、収納ケース１３ｂの上方に、肘掛けとして機能させる肘掛部１４を設けることができる。
【手続補正４】
【補正対象書類名】明細書
【補正対象項目名】００１４
【補正方法】変更
【補正の内容】
【００１４】
（２）  ハンドル部６には、ハンドル本体部６ｍの少なくとも一部６ｆを、ブックスタンド部２の前方Ｆｆにおける書籍類Ｂ…の出入空間Ｓに位置させることにより、ブックスタンド部２に収納された書籍類Ｂ…の変位を規制するセット位置Ｘｓ又は出入空間Ｓを開放するリリース位置Ｘｒに、選択的に変位可能な可動支持機構部１１を設けたため、ハンドル本体部６ｍの少なくとも一部６ｆの位置を変更できる。これにより、セット位置Ｘｓに変位させることにより、ブックスタンド部２からの書籍類Ｂ…の抜け落ちを防止できるとともに、リリース位置Ｘｒに変位させることにより、ブックスタンド部２に対する書籍類Ｂ…の出し入れを容易に行うことができる。
【手続補正５】
【補正対象書類名】明細書
【補正対象項目名】００１５
【補正方法】変更
【補正の内容】
【００１５】
（３）  好適な態様により、ハンドル部６を、ブックスタンド部２の前方Ｆｆ，後方Ｆｒ，右方Ｆｐ及び左方Ｆｑに配するようにすれば、多機能ブックスタンド１が様々な向き及び位置にあっても、ハンドル部６を確実に操作できるため、多機能ブックスタンド１を、希望する向き及び位置へ容易に変えることができるなど、更なる利便性，快適性及び使い勝手の向上に寄与できる。
【手続補正６】
【補正対象書類名】明細書
【補正対象項目名】００５１
【補正方法】変更
【補正の内容】
【００５１】
例えば、書籍類Ｂ…，小物類Ｇ…，用紙類Ｐ…，Ｒａ：テレビリモコン，Ｒｂ：電話機類，Ｍ：枕などは、これらを最低限収納できることを意味するものであり、限定的に例示したものではない。また、二つの第一補助収納部４ａ，４ｂを例示したが、その他、一つの第一補助収納部４ａのみであってもよいし、三つ以上の第一補助収納部４ａ，４ｂ…であってもよい。実施形態のハンドル部６は、一例であり、その形態や数量、更には取付位置などは任意に選定可能である。一方、使用素材は、木製平板が望ましいが、素材は限定されるものではなく、プラスチック等の各種素材を用いることができる。
【手続補正書】
【提出日】平成30年10月12日(2018.10.12)
【手続補正１】
【補正対象書類名】特許請求の範囲
【補正対象項目名】全文
【補正方法】変更
【補正の内容】
【特許請求の範囲】
【請求項１】
一又は二以上の書籍類を収納可能なブックスタンド部を備える多機能ブックスタンドであって、前記ブックスタンド部の下方に配して当該ブックスタンド部を移動自在に支持する複数のキャスタ部と、前記ブックスタンド部の台板部の下面に付設することにより小物類を収納可能な引出しにより構成した一又は二以上の第一補助収納部と、前記ブックスタンド部に付設することにより用紙類を収納可能な用紙入れとして構成した第二補助収納部と、前記ブックスタンド部に付設することにより手で把持可能に構成するとともに、ハンドル本体部の少なくとも一部を、前記ブックスタンド部の前方における書籍類の出入空間に位置させることにより、前記ブックスタンド部に収納された書籍類の変位を規制するセット位置又は前記出入空間を開放するリリース位置に、選択的に変位可能な可動支持機構部を備えるハンドル部とを具備してなることを特徴とする多機能ブックスタンド。
【請求項２】
前記ハンドル部は、前記ブックスタンド部の前方，後方，右方及び左方に配してなることを特徴とする請求項１記載の多機能ブックスタンド。
【請求項３】
前記ブックスタンド部に付設することにより少なくともテレビリモコン及び／又は電話機類を収納可能に構成した第三補助収納部を備えることを特徴とする請求項１記載の多機能ブックスタンド。
【請求項４】
前記ブックスタンド部に付設することにより少なくとも枕を収納可能に構成した収納ケース部を有する第四補助収納部を備えることを特徴とする請求項１記載の多機能ブックスタンド。
【請求項５】
前記第四補助収納部は、前記収納ケース部の上方に、肘掛けとして機能させる肘掛部を備えることを特徴とする請求項４記載の多機能ブックスタンド。